(57)【要約】【課題】本発明は上記課題を解決するためになされたもので、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置および光ディスク装置を提供することを目的とする。【解決手段】レーザ光を出射する光源１と、レーザ光を少なくとも第１記録層と第２記録層とからなる光ディスク１０１に集光する対物レンズ５と、光ディスク１０１からの反射光を受光するＯＥＩＣ７と、レーザ光の少なくとも一部を偏光する偏光手段と、を備え、偏光手段は、光ディスク１０１と対物レンズ５の間に位置し、レーザ光のＰ波のみを透過させるＰ波透過領域５ａと、レーザ光のＳ波のみを透過させるＳ波透過領域５ｂと、から構成されることを特徴とする。【選択図】図１
2010097631.tif 000002
【特許請求の範囲】
【請求項１】
レーザ光を出射する光源と、
前記レーザ光を少なくとも第１記録層と第２記録層とからなる光ディスクに集光する対物レンズと、
前記光ディスクからの反射光を受光する受光手段と、
前記レーザ光の少なくとも一部を偏光する偏光手段と、を備え、
前記偏光手段は、前記光ディスクと前記対物レンズの間に位置し、前記レーザ光のＰ波のみを透過させるＰ波透過領域と、前記レーザ光のＳ波のみを透過させるＳ波透過領域と、から構成されることを特徴とする光ピックアップ装置。
【請求項２】
前記偏光手段は、前記対物レンズの前記光ディスクと対向する面に設けられていることを特徴とする請求項１記載の光ピックアップ装置。
【請求項３】
前記Ｐ波透過領域は、前記対物レンズの前記光ディスクと対向する面の略中央に配置され、
前記Ｓ波透過領域は、前記Ｐ波透過領域を中心に略ドーナツ状に配置されていることを特徴とする請求項２記載の光ピックアップ装置。
【請求項４】
前記Ｓ波透過領域は、前記対物レンズの前記光ディスクと対向する面の略中央に配置され、
前記Ｐ波透過領域は、前記Ｓ波透過領域を中心に略ドーナツ状に配置されていることを特徴とする請求項２記載の光ピックアップ装置。
【請求項５】
レーザ光を出射する光源と、
前記レーザ光を少なくとも第１記録層と第２記録層とからなる光ディスクに集光する対物レンズと、
前記光ディスクからの反射光を受光する受光手段と、
前記レーザ光の少なくとも一部を偏光する偏光手段と、を備え、
前記偏光手段は、前記対物レンズは前記光ディスクと対向する面に位置し、
前記レーザ光のＰ波のみを透過させるＰ波透過領域と、前記レーザ光のＳ波のみを透過させるＳ波透過領域と、から構成され、
前記Ｐ波透過領域は、前記対物レンズの前記光ディスクと対向する面の略中央に配置され、
前記Ｓ波透過領域は、前記Ｐ波透過領域を中心に略ドーナツ状に配置されていることを特徴とする光ピックアップ装置。
【請求項６】
レーザ光を出射する光源と、
前記レーザ光を少なくとも第１記録層と第２記録層とからなる光ディスクに集光する対物レンズと、
前記光ディスクからの反射光を受光する受光手段と、
前記レーザ光の少なくとも一部を偏光する偏光手段と、を備え、
前記偏光手段は、前記レーザ光のＰ波のみを透過させるＰ波透過領域と、前記レーザ光のＳ波のみを透過させるＳ波透過領域と、から構成され、
前記Ｓ波透過領域は、前記対物レンズの前記光ディスクと対向する面の略中央に配置され、
前記Ｐ波透過領域は、前記Ｓ波透過領域を中心に略ドーナツ状に配置されていることを特徴とする光ピックアップ装置。
【請求項７】
請求項５または６のいずれかに記載の光ピックアップ装置と、
光ディスクを回転させる回転駆動手段と、
前記回転駆動手段に対して前記光ピックアップ装置を近づけたり遠ざけたりする移動手段と、を備えたことを特徴とする光ディスク装置。
【発明の詳細な説明】
【技術分野】
【０００１】
本発明は、光ディスクに情報の記録または再生の少なくとも一方を行う光ピックアップ装置および光ディスク装置に関するものである。
【背景技術】
【０００２】
現在、光ディスクは、高密度記録を実現できるように、光ディスクの厚み方向に複数の記録層を持つものが増えてきた。この厚み方向に複数の記録層を持つ光ディスクに記録、もしくはこの厚み方向に複数の記録層を持つ光ディスクを再生する場合、所望の記録層からの反射光に他の記録層からの反射光が迷光として加わる。このとき、光ディスク装置は、所望の記録層からの反射光と他の記録層からの反射光と同時に受光部に入射した状態で、トラッキング制御をする必要がある。
【特許文献１】特開２００７−００４８６７号公報
【発明の開示】
【発明が解決しようとする課題】
【０００３】
しかしながら、所望の記録層からの反射光と他の記録層からの反射光とが同時に受光部に入射した場合、その受光部に入射した反射光を用いてトラッキング調整を行おうとすると、トラッキング制御に支障をきたす場合があるという問題があった。
【０００４】
特に、ブルーレイディスクに記録する、もしくはブルーレイディスクを再生する場合、
ブルーレイディスクはその基材厚が薄く各記録層間の距離が接近しているので、所望の記録層からの反射光に他の記録層からの反射光が迷光として加わりやすい。
【０００５】
図１０は、所望の記録層からの反射光と他の記録層からの反射光とが同時に受光部に入射する様子を示す図である。図１０（ａ）は所望の記録層からの反射光と他の記録層からの反射光とが同時に受光部に入射する様子を示し、図１０（ｂ）は受光領域に投影される干渉縞の様子を示す図である。図１０において、１１〜１３は受光領域である。
【０００６】
光ピックアップの受光部は、受光領域１１、受光領域１２、受光領域１３の３つの受光領域から形成されている。
【０００７】
光源から出射されたレーザ光は、回折素子で１つのメインレーザ光と２つのサブレーザ光の合計３つに分割されて光ディスクに照射される。そして、光ディスクに照射された３つのレーザ光は光ディスクで反射される。
【０００８】
光ディスクから反射された反射光のうち、所望の記録層からの反射光は、１つのメインレーザ光と２つのサブレーザ光の合計３つに分割されたまま、各々、受光領域１１、受光領域１２、受光領域１３に入射する。また、光ディスクから反射された反射光のうち、所望の記録層以外で反射された反射光も、１つのメインレーザ光と２つのサブレーザ光の合計３つに分割されたまま、光ピックアップの受光部に入射する。このとき、他の記録層からの反射光は、フォーカス位置が最適でないので、受光領域に投影される反射光のスポット形状は所望の記録層からの反射光のスポット形状に比べて大きくなる。
【０００９】
このため、所望の記録層からの反射光と他の記録層からの反射光とが同時に受光部に入射する場合、図１０（ａ）に示す状態になる。ここで、受光領域１１のみに入射する光は所望の記録層からのメインレーザ光、受光領域１２と受光領域１３のみに入射する光は所望の記録層からのサブレーザ光、受光領域１１と受光領域１２と受光領域１３の全てに入射する光は、他の記録層からのメインレーザ光となる。
【００１０】
受光領域１１では所望の記録層からのメインレーザ光によるスポットと他の記録層からのメインレーザ光によるスポットとが干渉し、受光領域１１の受光面上で図１０（ｂ）に示す干渉縞が発生する。また、受光領域１２では所望の記録層からのサブレーザ光と他の記録層からのメインレーザ光とが干渉し、受光領域１２の受光面上で図１０（ｂ）に示す干渉縞が発生する。また、受光領域１３では所望の記録層からのサブレーザ光と他の記録層からのメインレーザ光とが干渉し、受光領域１３の受光面上で図１０（ｂ）に示す干渉縞が発生する。
【００１１】
このように、受光領域１１、受光領域１２、受光領域１３のそれぞれの領域で干渉縞が発生すると受光領域上の光量分布に誤差が生じてしまい、トラッキング制御に支障をきたす場合があるという問題があった。
【００１２】
本発明は、上記課題を解決するためになされたものであり、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置および光ディスク装置を提供することを目的とする。
【課題を解決するための手段】
【００１３】
本発明は上記課題を解決するためになされたものであって、レーザ光を出射する光源と、レーザ光を少なくとも第１記録層と第２記録層とからなる光ディスクに集光する対物レンズと、光ディスクからの反射光を受光する受光手段と、レーザ光の少なくとも一部を偏光する偏光手段と、を備え、偏光手段は、光ディスクと対物レンズの間に位置し、レーザ光のＰ波のみを透過させるＰ波透過領域と、レーザ光のＳ波のみを透過させるＳ波透過領域と、から構成されることを特徴とするものである。
【発明の効果】
【００１４】
本発明は上記構成により、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置および光ディスク装置を実現できる。
【発明を実施するための最良の形態】
【００１５】
請求項１記載の発明は、レーザ光を出射する光源と、レーザ光を少なくとも第１記録層と第２記録層とからなる光ディスクに集光する対物レンズと、光ディスクからの反射光を受光する受光手段と、レーザ光の少なくとも一部を偏光する偏光手段と、を備え、偏光手段は、光ディスクと対物レンズの間に位置し、レーザ光のＰ波のみを透過させるＰ波透過領域と、レーザ光のＳ波のみを透過させるＳ波透過領域と、から構成されることを特徴とするものである。これにより、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置を実現できる。
【００１６】
請求項２記載の発明は、偏光手段が、対物レンズの光ディスクと対向する面に設けられていることを特徴とするものである。これにより、光学部品群に入る直前で、他の記録層からの反射光の中からレーザ光の振動方向を選択して透過させるので、光路上、受光手段から最も遠い位置で選択でき、他の記録層からの反射光の中から特定の振動方向を持つレーザ光を確実に受光手段に入射させない。
【００１７】
請求項３記載の発明は、Ｐ波透過領域が、対物レンズの光ディスクと対向する面の略中央に配置され、Ｓ波透過領域が、Ｐ波透過領域を中心に略ドーナツ状に配置されていることを特徴とするものである。これにより、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、対物レンズのトラッキング制御信号を生成する上で重要な特定の受光領域上に形成されるスポットの外周領域に干渉縞を発生させないので、トラッキング制御信号の信頼性を向上できる。
【００１８】
請求項４記載の発明は、Ｓ波透過領域が、対物レンズの光ディスクと対向する面の略中央に配置され、Ｐ波透過領域が、Ｓ波透過領域を中心に略ドーナツ状に配置されていることを特徴とするものである。これにより、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、対物レンズのトラッキング制御信号を生成する上で重要な特定の受光領域上に形成されるスポットの外周領域に干渉縞を発生させないので、トラッキング制御信号の信頼性を向上できる。
【００１９】
請求項５記載の発明は、レーザ光を出射する光源と、レーザ光を少なくとも第１記録層と第２記録層とからなる光ディスクに集光する対物レンズと、光ディスクからの反射光を受光する受光手段と、レーザ光の少なくとも一部を偏光する偏光手段と、を備え、偏光手段は、対物レンズは光ディスクと対向する面に位置し、レーザ光のＰ波のみを透過させるＰ波透過領域と、レーザ光のＳ波のみを透過させるＳ波透過領域と、から構成され、Ｐ波透過領域は、対物レンズの光ディスクと対向する面の略中央に配置され、Ｓ波透過領域は、Ｐ波透過領域を中心に略ドーナツ状に配置されていることを特徴とするものである。これにより、所望の記録層からの反射光に他の記録層からの反射光が迷光として加わった際、他の記録層からの反射光の中から特定の振動方向を持つレーザ光を、対物レンズのトラッキング制御に用いる信号の基になるレーザ光を受光する受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置を実現できる。
【００２０】
請求項６記載の発明は、レーザ光を出射する光源と、レーザ光を少なくとも第１記録層と第２記録層とからなる光ディスクに集光する対物レンズと、光ディスクからの反射光を受光する受光手段と、レーザ光の少なくとも一部を偏光する偏光手段と、を備え、偏光手段は、レーザ光のＰ波のみを透過させるＰ波透過領域と、レーザ光のＳ波のみを透過させるＳ波透過領域と、から構成され、Ｓ波透過領域は、対物レンズの光ディスクと対向する面の略中央に配置され、Ｐ波透過領域は、Ｓ波透過領域を中心に略ドーナツ状に配置されていることを特徴とするものである。これにより、所望の記録層からの反射光に他の記録層からの反射光が迷光として加わった際、他の記録層からの反射光の中から特定の振動方向を持つレーザ光を、対物レンズのトラッキング制御に用いる信号の基になるレーザ光を受光する受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置を実現できる。
【００２１】
請求項７記載の発明は、請求項５または６のいずれかに記載の光ピックアップ装置と、光ディスクを回転させる回転駆動手段と、回転駆動手段に対して光ピックアップ装置を近づけたり遠ざけたりする移動手段と、を備えたことを特徴とするものである。これにより、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ディスク装置を実現できる。
【００２２】
（実施の形態１）
以下、本発明の実施の形態１について、図面を参照しながら説明する。
【００２３】
なお、本実施の形態１では、厚み方向に複数の記録層を持つ光ディスクを２層の記録層を持つ光ディスクとして説明する。また、情報の記録または再生を行う記録層を記録層１０１ａ、情報の記録または再生を行わない記録層を記録層１０１ｂとし、記録層１０１ａを所望の記録層、記録層１０１ｂを他の記録層として説明する。
【００２４】
図１は、本発明の実施の形態１における光ディスク装置のブロック図である。図１において、１は光源、２は回折格子、３はコリメータレンズ、４は分割素子、５は対物レンズ、５ａはＰ波透過領域、５ｂはＳ波透過領域、６は検出レンズ、７はＯＥＩＣ、１０１は光ディスク、１０１ａは記録層、１０１ｂは記録層である。なお、本実施の形態１における光源は光源１、対物レンズは対物レンズ５、受光手段はＯＥＩＣ（Ｏｐｔｏ−Ｅｌｅｃｔｒｏｎｉｃ  Ｉｎｔｅｇｒａｔｅｄ  Ｃｉｒｃｕｉｔ、以下、単にＯＥＩＣと呼ぶ）７、Ｐ波透過領域はＰ波透過領域５ａ、Ｓ波透過領域はＳ波透過領域５ｂ、偏光手段はＰ波透過領域５ａとＳ波透過領域５ｂを合わせたものに相当する。
【００２５】
光源１は、波長４０５ｎｍのレーザ光を発するＢＤ（Ｂｌｕ−ｒａｙ  Ｄｉｓｃ、以下単にＢＤと呼ぶ）用の半導体レーザと、波長約６５０ｎｍのレーザ光を発するＤＶＤ（Ｄｉｇｉｔａｌ  Ｖｅｒｓａｔｉｌｅ  Ｄｉｓｃ、以下単にＤＶＤと呼ぶ）用の半導体レーザと、波長約７８０ｎｍのレーザ光を発するＣＤ（Ｃｏｍｐａｃｔ  Ｄｉｓｃ、以下単にＣＤと呼ぶ）用の半導体レーザと、が収納されている。光ディスク装置は、装着された光ディスク１０１に対応するレーザ光を出射する。ここで、それぞれの波長のレーザ光は、Ｐ波、Ｓ波を含む振動方向を有しており、Ｐ波とＳ波はその振動方向が９０°回転した波である。
【００２６】
光源１から出射されたレーザ光は回折格子２に入射後、１つのメインレーザ光と２つのサブレーザ光の合計３つに分割される。分割された３つのレーザ光は、コリメータレンズ３に入射して発散光から平行光に変換される。その後、分割された３つのレーザ光は分割素子４で反射され、対物レンズ５に導かれる。対物レンズ５に導かれた３つのレーザ光は、光ディスク１０１の記録面１０１ａ、すなわち所望の記録層に集光される。その後、光ディスク１０１の記録面１０１ａで反射された３つのレーザ光は、対物レンズ５を経由して分割素子４に導かれる。
【００２７】
分割素子４は、光源１から入射する光を対物レンズ５の方向に反射させると共に、対物レンズ５から入射する光を透過させる特性を有するので、対物レンズ５を経由して分割素子４に導かれた３つのレーザ光は、分割素子４を透過して検出レンズ６に入射する。検出レンズ６に入射した３つのレーザ光は、ここで、それぞれ集束されてＯＥＩＣ７の受光面上に到達する。
【００２８】
ここで、本発明の特徴部分について説明する。
【００２９】
光ディスク１０１と対物レンズ５の間には、光源１から出射されたレーザ光の少なくとも一部を偏光する偏光手段が設けられている。本実施の形態１の場合、この偏光手段は、Ｐ波透過領域５ａとＳ波透過領域５ｂに相当する。Ｐ波透過領域５ａとＳ波透過領域５ｂは共にスパッタリング法で形成され、Ｐ波透過領域５ａは光ディスク１０１からの反射光のうちＰ波のみを透過させる特性を有し、Ｓ波透過領域５ｂは光ディスク１０１からの反射光のうちＳ波のみを透過させる特性を有している。
【００３０】
次に、偏光手段が設けられた対物レンズの詳細について説明する。
【００３１】
図２は、本発明の実施の形態１における対物レンズの上面と側面を示す図である。図２（ａ）は対物レンズの上面図を示し、図２（ｂ）は対物レンズの断面図を示している。図２において、５は対物レンズ、５ａはＰ波透過領域、５ｂはＳ波透過領域、５ｄは集光部、５ｅはレンズコバ部、１０１は光ディスク、１０１ａは記録層、１０１ｂは記録層である。なお、図２（ｂ）においては、記録層１０１ａからの反射光のメインレーザ光を実線、記録層１０１ｂからの反射光のメインレーザ光を破線で示す。
【００３２】
対物レンズ５は、レーザ光を集光させる略球面状の集光部５ｄと、トラッキング制御もしくはフォーカス制御ができるように対物レンズ５をホルダ（図示せず）に固定するレンズコバ部５ｅとから形成されている。集光部５ｄは、略球面の内部を通る３つのレーザ光の光軸が光ディスク１０１の記録面１０１ａ、記録面１０１ｂに対して略垂直になるように配置されている。
【００３３】
集光部５ｄの光ディスク１０１に対向する面は、光ディスク１０１からの反射光のうちＰ波のみを透過させるＰ波透過領域５ａと、光ディスク１０１からの反射光のうちＳ波のみを透過させるＳ波透過領域５ｂと、から構成されている。
【００３４】
厚み方向に複数の記録層を持つ光ディスク１０１に記録、もしくはこの厚み方向に複数の記録層を持つ光ディスクを再生する場合、光ディスク１０１からの反射光は、所望の記録層である記録層１０１ａからの反射光に加え、他の記録層である記録層１０１ｂからの反射光も含まれている。そして、記録層１０１ａからの反射光と記録層１０１ｂからの反射光とは、対物レンズ５を経由して、少なくとも分割素子４と検出レンズ６などで構成される光学部品群の光路上に入射する。
【００３５】
このとき、偏光手段を形成するＰ波透過領域５ａとＳ波透過領域５ｂとは、対物レンズ５の光ディスク１０１と対向する面に設けられている。そして、Ｐ波透過領域５ａは対物レンズ５の光ディスク１０１と対向する面の略中央に配置され、Ｓ波透過領域５ｂはＰ波透過領域を中心に略ドーナツ状に配置されている。
【００３６】
そのため、記録層１０１ａからの反射光と記録層１０１ｂからの反射光は、対物レンズ５に入射する際、対物レンズ５の表面に設けられたＰ波透過領域５ａとＳ波透過領域５ｂとにより、それぞれの領域を通過した光はそれぞれの領域の特性に応じて特定の振動方向を持つ光になり、Ｐ波透過領域５ａとＳ波透過領域５ｂを通過した際の形を維持したまま分割素子４に向かう。
【００３７】
図３は、本発明の実施の形態１における対物レンズの上面と断面を示す図である。図３（ａ）は対物レンズの上面図を示し、図３（ｂ）は図３（ａ）に示す対物レンズのＩ−Ｉ´断面図、図３（ｃ）は図３（ａ）に示す対物レンズのＪ−Ｊ´断面図、図３（ｄ）は図３（ａ）に示す対物レンズのＫ−Ｋ´断面図である。図３において、５は対物レンズ、５ａはＰ波透過領域、５ｂはＳ波透過領域、５ｄは集光部、５ｅはレンズコバ部である。
【００３８】
Ｐ波透過領域５ａとＳ波透過領域５ｂは、全ての振動方向を持つ光を透過させる集光部５ｄの表面に膜として形成される。ここで、Ｐ波透過領域５ａは光ディスク１０１からの反射光のうちＰ波のみを透過させ、Ｓ波透過領域５ｂは光ディスク１０１からの反射光のうちＳ波のみを透過させる。光を横波の電磁波と定義すると進行方向に対して垂直に振動する。その振動方向には電場方向と磁場方向があり、一方をＰ波、他方をＳ波と呼ぶ。ここでは、Ｐ波はＰｒｉｍａｒｙ−Ｗａｖｅ、Ｓ波はＳｅｃｏｎｄａｒｙ−Ｗａｖｅである。Ｐ波の振動しかしていない光をＰ偏光、Ｓ波の振動しかしていない光をＳ偏光と呼ぶ。偏光方向は、液晶素子や波長板などの複屈折性を利用して変調が可能である。Ｐ波透過領域とＳ波透過領域に液晶素子を用いることで状況に応じた最適な透過特性に変調することが可能である。例えば、対物レンズ５を保持するホルダに対物レンズ５を取り付ける際に、対物レンズ５がその円周方向に回転を生じる場合であっても、対物レンズ５の回転を考慮して電気的に補正を加えることができ、対物レンズ５に入射した光を目的の偏光方向のみの光に変換することができる。また、Ｐ波透過領域５ａ、Ｓ波透過領域５ｂに液晶素子を用いることで対物レンズ５に入射する光線の偏光方向が目的の方向から対物レンズ５の円周方向に回転を生じた場合でも入射光線の偏光方向の回転を考慮して電気的に補正を加えることができる。
【００３９】
Ｐ波透過領域５ａとＳ波透過領域５ｂは、図３からもわかるように、その厚さが略均一の膜により形成されている。このため、Ｐ波透過領域５ａに到達したレーザ光は、Ｐ波透過領域５ａのどの領域に到達しても、そのレーザ光のＰ波のみが透過する。また、Ｓ波透過領域５ｂに到達したレーザ光は、Ｓ波透過領域５ｂのどの領域に到達しても、そのレーザ光のＳ波のみが通過する。
【００４０】
図４は、本発明の実施の形態１における所望の記録層からの反射光と他の記録層からの反射光とが同時に分割素子に入射する様子を示す図であり、所望の記録層からの反射光と他の記録層からの反射光とが入射する方向、すなわち図１に示すＬ方向から見た図である。図４において、４は分割素子、４１ａ，４１ｂ，４２ａ，４２ｂ，４３ａ，４３ｂ，４４ａ，４４ｂは領域である。
【００４１】
記録層１０１ａからのメインレーザ光により分割素子４上に投影される領域は、領域４１ａ，領域４１ｂである。領域４１ａは、記録層１０１ａからのメインレーザ光が対物レンズ５のＰ波透過領域５ａを通過して到達するので、記録層１０１ａからのメインレーザ光のＰ波のみが届く領域である。また、領域４１ｂは、記録層１０１ａからのメインレーザ光が対物レンズ５のＳ波透過領域５ｂを通過して到達するので、記録層１０１ａからのメインレーザ光のＳ波のみが届く領域である。
【００４２】
また、記録層１０１ａからのサブレーザ光により分割素子４上に投影される領域は、領域４２ａ，領域４２ｂ，領域４３ａ，領域４３ｂである。領域４２ａ、領域４３ａは、記録層１０１ａからのサブレーザ光が対物レンズ５のＰ波透過領域５ａを通過して到達するので、記録層１０１ａからのメインレーザ光のＰ波のみが届く領域である。また、Ｓ波透過領域５ｂを通過して到達するので、記録層１０１ａからのメインレーザ光のＳ波のみが届く領域である。
【００４３】
また、記録層１０１ｂからのメインレーザ光により分割素子４上に投影される領域は、領域４４ａ，領域４４ｂである。領域４４ａは、記録層１０１ｂからのメインレーザ光が対物レンズ５のＰ波透過領域５ａを通過して到達するので、記録層１０１ｂからのメインレーザ光のＰ波のみが届く領域である。また、領域４４ｂは、記録層１０１ｂからのメインレーザ光が対物レンズ５のＳ波透過領域５ｂを通過して到達するので、記録層１０１ｂからのメインレーザ光のＳ波のみが届く領域である。
【００４４】
図５は、本発明の実施の形態１における所望の記録層からの反射光と他の記録層からの反射光とが同時に検出レンズに入射する様子を示す図であり、所望の記録層からの反射光と他の記録層からの反射光とが入射する方向、すなわちＭ方向から見た図である。図５において、６は検出レンズ、６１ａ，６１ｂ，６１ｃ，６２ａ，６２ｂ，６２ｃ，６３ａ，６３ｂ，６３ｃ，６４ａ，６４ｂは領域である。
【００４５】
記録層１０１ａからのメインレーザ光により検出レンズ６上に投影される領域は、領域６１ａ，領域６１ｂである。領域６１ａは、記録層１０１ａからのメインレーザ光が対物レンズ５のＰ波透過領域５ａを通過して到達するので、記録層１０１ａからのメインレーザ光のＰ波のみが届く領域である。また、領域６１ｂは、記録層１０１ａからのメインレーザ光が対物レンズ５のＳ波透過領域５ｂを通過して到達するので、記録層１０１ａからのメインレーザ光のＳ波のみが届く領域である。
【００４６】
また、記録層１０１ａからのサブレーザ光により検出レンズ６上に投影される領域は、領域６２ａ，領域６２ｂ，領域６３ａ，領域６３ｂである。領域６２ａ、領域６３ａは、記録層１０１ａからのサブレーザ光が対物レンズ５のＰ波透過領域５ａを通過して到達するので、記録層１０１ａからのメインレーザ光のＰ波のみが届く領域である。また、Ｓ波透過領域５ｂを通過して到達するので、記録層１０１ａからのメインレーザ光のＳ波のみが届く領域である。
【００４７】
また、記録層１０１ｂからのメインレーザ光により検出レンズ６上に投影される領域は、領域６４ａ，領域６４ｂである。領域６４ａは、記録層１０１ｂからのメインレーザ光が対物レンズ５のＰ波透過領域５ａを通過して到達するので、記録層１０１ｂからのメインレーザ光のＰ波のみが届く領域である。また、領域４４ｂは、記録層１０１ｂからのメインレーザ光が対物レンズ５のＳ波透過領域５ｂを通過して到達するので、記録層１０１ｂからのメインレーザ光のＳ波のみが届く領域である。
【００４８】
図６は、本発明の実施の形態１における所望の記録層からの反射光と他の記録層からの反射光とが同時に受光部に入射する様子を示す図である。図６（ａ）は所望の記録層からの反射光と他の記録層からの反射光とが同時に受光領域に入射する様子を示し、図６（ｂ）は受光領域に投影されたスポットの外周領域に干渉縞が発生しない様子を示す図である。図６において、１１〜１３は受光領域、１４〜１７は領域である。
【００４９】
ＯＥＩＣ７の受光部は、受光領域１１、受光領域１２、受光領域１３の３つの受光領域から形成されている。
【００５０】
光源１から出射されたレーザ光は、回折素子２で１つのレーザ光と２つのレーザ光の合計３つに分割されて光ディスク１０１に照射される。そして、光ディスク１０１に照射された３つのレーザ光は光ディスク１０１で反射される。
【００５１】
光ディスク１０１から反射された反射光のうち、所望の記録層である記録層１０１ａからの反射光は、１つのメインレーザ光と２つのサブレーザ光の合計３つに分割されたまま、分割素子４、検出レンズ６を経由してＯＥＩＣ７に向かう。その後、ＯＥＩＣ７では、１つのメインレーザ光はＯＥＩＣ７の受光領域である受光領域１１、２つのサブレーサ光はＯＥＩＣ７の受光領域である受光領域１２と受光領域１３に入射する。
【００５２】
一方、光ディスク１０１から反射された反射光のうち、他の記録層である記録層１０１ｂからの反射光も、１つのメインレーザ光と２つのサブレーザ光の合計３つに分割されたまま、ＯＥＩＣ７の受光領域に入射する。このとき、対物レンズ５のフォーカス方向の位置は記録層１０１ａに対して最適になるように調整されているので、記録層１０１ｂからの反射光はフォーカスが最適になっていない状態である。このため、ＯＥＩＣ７の受光領域に投影される記録層１０１ｂからの反射光は、そのスポット形状が記録層１０１ａからの反射光のスポット形状に比べて大きくなる。そのため、記録層１０１ｂから反射される１つのメインレーザ光は、受光領域１１、受光領域１２、受光領域１３の３つの受光領域全ての範囲に投影される。
【００５３】
ところが、本発明では、対物レンズ５の光ディスク１０１と対向する面に、Ｐ波透過領域５ａとＳ波透過領域５ｂが設けられている。そのため、記録層１０１ａからの反射光と記録層１０１ｂからの反射光は、対物レンズ５を経由してＯＥＩＣ７に投影される際に、投影される位置に応じてＰ波とＳ波に分離された状態でＯＥＩＣ７に到達する。記録層１０１ａからの反射光は、受光領域１１，１２，１３上の中心領域、すなわち領域１４，１５，１６にＰ波が投影され、そのＰ波が投影された領域を中心に略ドーナツ状にＳ波が投影される。
【００５４】
ここで、対物レンズ５のフォーカス方向の位置は記録層１０１ａに対して最適になるように調整されているので、受光領域に投影される記録層１０１ｂからの反射光のスポット形状は、記録層１０１ａからの反射光のスポット形状に比べて大きくなる。このため、記録層１０１ｂからの反射光は、受光領域１１，１２，１３上にＰ波のみ投影される。
【００５５】
そのため、受光領域１１では、領域１４に記録層１０１ａからのＰ波と記録層１０１ｂからのＰ波が投影され、領域１４の周辺部に記録層１０１ａからのＳ波と記録層１０１ｂからのＰ波が投影される。また、受光領域１２では、領域１５に記録層１０１ａからのＰ波と記録層１０１ｂからのＰ波が投影され、領域１５の周辺部に記録層１０１ａからのＳ波と記録層１０１ｂからのＰ波が投影される。また、受光領域１３では、領域１６に記録層１０１ａからのＰ波と記録層１０１ｂからのＰ波が投影され、領域１６の周辺部に記録層１０１ａからのＳ波と記録層１０１ｂからのＰ波が投影される。
【００５６】
次に、図７、図８を用いて、Ｐ波とＳ波以外の組合せにより干渉が発生する様子と、Ｐ波とＳ波の組合せにより干渉が発生しない様子について説明する。
【００５７】
図７は、本発明の実施の形態１におけるＰ波とＳ波以外の組合せにより干渉が発生する様子を示す図である。図７（ａ）はＰ波とＰ波の組合せにより干渉が発生する様子を示す図であり、図７（ｂ）はあらゆる方向に振動する光同士の組合せにより干渉が発生する様子を示す図である。図７（ａ），図７（ｂ）において、７１，７２はＰ波透過領域であり、Ｐ波透過領域５ａと同様の特性を有する領域である。また、８１，８２は全波透過領域であり、あらゆる方向に振動する光を通過させる領域であり、集光部５ｄと同様の特性を有する領域である。また、レーザ光が進行する方向をＺ方向とすると、Ｚ方向に直交するＸ方向，Ｙ方向は図７（ａ）、図７（ｂ）に示す通りである。
【００５８】
最初に、図７（ａ）を用いてＰ波とＰ波の組合せにより干渉が発生する様子について説明する。
【００５９】
図７（ａ）の左側と右側とからＰ波、Ｓ波を含みあらゆる方向に振動する光をそれぞれＰ波透過領域７１，Ｐ波透過領域７２に向けて照射すると、図７（ａ）の左側から照射された光はＰ波透過領域７１を通過後、Ｐ波のみになる。このＰ波は一定の方向に振動する波である。また、図７（ａ）の右側から照射された光はＰ波透過領域７２に向けて照射すると、図７（ａ）の右側から照射された光はＰ波透過領域７２を通過後、Ｐ波のみになる。このＰ波も一定の方向に振動する波であり、Ｐ波透過領域７１通過後のＰ波と同一方向である。
【００６０】
Ｐ波透過領域７１を通過したＰ波と、Ｐ波透過領域７２を通過したＰ波とが、図７（ａ）の中央部分でぶつかり合うと同一の振動方向の光同士がぶつかり合うので、それらの光は同一の振動方向で光が増幅される。このように、同一の振動方向を持つ光同士がぶつかり合うと、それらの光と同一の振動方向で光が増幅される。
【００６１】
ここで、Ｐ波透過領域７１を通過したＰ波を、対物レンズ５のＰ波透過領域５ａを通過し所望の記録層からの反射光の一領域を占めるＰ波と考え、また、Ｐ波透過領域７２を通過したＰ波を、対物レンズ５のＰ波透過領域５ａを通過し他の記録層からの反射光の一領域を占めるＰ波と考えると、対物レンズ５のＰ波透過領域５ａを通過し所望の記録層からの反射光の一領域を占めるＰ波と、対物レンズ５のＰ波透過領域５ａを通過し他の記録層からの反射光の一領域を占めるＰ波との間にも同様の現象が発生する。すなわち、対物レンズ５のＰ波透過領域５ａを通過し所望の記録層からの反射光の一領域を占めるＰ波と、対物レンズ５のＰ波透過領域５ａを通過し他の記録層からの反射光の一領域を占めるＰ波とが、ＯＥＩＣ７上でぶつかり合い、同一の振動方向で光が増幅されて干渉縞が発生する。
【００６２】
次に、図７（ｂ）を用いて、あらゆる方向に振動する波同士の組合せにより干渉が発生する様子について説明する。
【００６３】
図７（ｂ）の左側と右側とからＰ波、Ｓ波を含みあらゆる方向に振動する光をそれぞれ全波透過領域８１，全波透過領域８２に向けて照射すると、図７（ｂ）の左側から照射された光は、全波透過領域８１を通過してもＰ波、Ｓ波を含みあらゆる方向に振動する光である。また、図７（ｂ）の右側から照射された光は全波透過領域８２を通過してもＰ波、Ｓ波を含みあらゆる方向に振動する光である。全波透過領域８１を通過した光と全波透過領域８２を通過した光とが、図７（ｂ）の中央部分でぶつかり合うと同一の振動方向の光同士がぶつかり合うので、それらの光は同一の振動方向で光が増幅される。このように、同一の振動方向を持つ光同士がぶつかり合うと、それらの光と同一の振動方向で光が増幅される。
【００６４】
ここで、全波透過領域８１を通過した光を所望の記録層からの反射光と考え、また、全波透過領域８２を通過した光を他の記録層からの反射光と考えると、対物レンズ５のＰ波透過領域５ａを通過し所望の記録層からの反射光の一領域を占めるＰ波と、対物レンズ５のＰ波透過領域５ａを通過し他の記録層からの反射光の一領域を占めるＰ波との間にも同様の現象が発生する。すなわち、対物レンズ５のＰ波透過領域５ａを通過し所望の記録層からの反射光の一領域を占めるＰ波と、対物レンズ５のＰ波透過領域５ａを通過し他の記録層からの反射光の一領域を占めるＰ波とが、ＯＥＩＣ７上でぶつかり合い、同一の振動方向で光が増幅されて干渉縞が発生する。
【００６５】
図８は、本発明の実施の形態１におけるＰ波とＳ波の組合せにより干渉が発生しない様子を示す図である。図８において、９１はＰ波透過領域、９２はＳ波透過領域であり、Ｐ波透過領域９１はＰ波透過領域５ａと同様の特性を有する領域，Ｓ波透過領域９２はＳ波透過領域５ｂと同様の特性を有する領域である。また、レーザ光が進行する方向をＺ方向とすると、Ｚ方向に直交するＸ方向，Ｙ方向は図８（ａ）、図８（ｂ）に示す通りである。
【００６６】
図８の左側と右側とからＰ波、Ｓ波を含みあらゆる方向に振動する光をそれぞれＰ波透過領域９１，Ｓ波透過領域９２に向けて照射すると、図８の左側から照射された光はＰ波透過領域９１を通過後、Ｐ波のみになる。このＰ波は一定の方向に振動する光である。また、図８の右側から照射された光は、Ｓ波透過領域９２に向けて照射すると、図８の右側から照射された光はＳ波透過領域９２を通過後、Ｓ波のみになる。このＳ波は、Ｐ波に直交する方向に振動する波である。
【００６７】
Ｐ波透過領域９１を通過したＰ波と、Ｓ波透過領域９２を通過したＳ波とが、図８の中央部分でぶつかり合うと同一の振動方向でない光同士がぶつかり合うので、それらの光は同一の振動方向で波が増幅されない。このように、同一の振動方向でない光同士がぶつかり合うと、それらの光は同一の振動方向で波が増幅されない。
【００６８】
ここで、Ｐ波透過領域９１を通過したＰ波を、対物レンズ５のＰ波透過領域５ａを通過し所望の記録層からの反射光の一領域を占めるＰ波と考え、また、Ｓ波透過領域９２を通過したＳ波を、対物レンズ５のＳ波透過領域５ｂを通過し他の記録層からの反射光の一領域を占めるＳ波と考えると、対物レンズ５のＰ波透過領域５ａを通過し所望の記録層からの反射光の一領域を占めるＰ波と、対物レンズ５のＳ波透過領域５ｂを通過し他の記録層からの反射光の一領域を占めるＳ波との間にも同様の現象が発生する。すなわち、対物レンズ５のＰ波透過領域５ａを通過し所望の記録層からの反射光の一領域を占めるＰ波と、対物レンズ５のＳ波透過領域５ｂを通過し他の記録層からの反射光の一領域を占めるＰ波とが、ＯＥＩＣ７上でぶつかり合っても、同一の振動方向で光が増幅されず干渉縞が発生しない。
【００６９】
次に、図６に戻り、記録層１０１ａからの反射光に記録層１０１ｂからの反射光が迷光として加わった際の受光領域１１〜１４における干渉の様子について説明する。
【００７０】
受光領域１１の領域１４では、記録層１０１ａからのＰ波と記録層１０１ｂからのＰ波が同一領域内に投影されるので、干渉縞が発生する。また、領域１４の周辺部では、記録層１０１ａからのＳ波と記録層１０１ｂからのＰ波が投影されるので、干渉縞が発生しない。
【００７１】
受光領域１２の領域１５では、記録層１０１ａからのＰ波と記録層１０１ｂからのＰ波が同一領域内に投影されるので、干渉縞が発生する。また、領域１５の周辺部では、記録層１０１ａからのＳ波と記録層１０１ｂからのＰ波が同一領域内に投影されるので、干渉縞が発生しない。
【００７２】
受光領域１３の領域１６では、記録層１０１ａからのＰ波と記録層１０１ｂからのＰ波が同一領域内に投影されるので、干渉縞が発生する。また、領域１６の周辺部では、記録層１０１ａからのＳ波と記録層１０１ｂからのＰ波が同一領域内に投影されるので、干渉縞が発生しない。
【００７３】
このように、本発明では、記録層１０１ａからの反射光に記録層１０１ｂからの反射光が迷光として加わった際、対物レンズ５のトラッキング制御信号を生成する上で重要な受光領域１５，１６上に形成されるスポットの外周領域、すなわち、領域１５の周辺部と領域１６の周辺部に干渉縞を発生させない。
【００７４】
以上の内容により、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ピックアップ装置を実現できる。
【００７５】
また、本発明は、図２に示すように、偏光手段を形成するＰ波透過領域５ａとＳ波透過領域５ｂとを対物レンズ５の光ディスク１０１と対向する面に設け、光学部品群に入る直前で他の記録層からの反射光の中からレーザ光の振動方向を選択して透過させるので、光路上、受光手段から最も遠い位置で選択でき、他の記録層からの反射光の中から特定の振動方向を持つレーザ光を確実に受光手段に入射させない。
【００７６】
さらに、本発明は、図２に示すように、Ｐ波透過領域５ａを対物レンズ５の光ディスク１０１と対向する面の略中央に配置し、Ｓ波透過領域５ｂをＰ波透過領域５ａ中心に略ドーナツ状に配置しているので、所望の記録層からの反射光に他の記録層からの反射光が迷光として加わった際、他の記録層からの反射光の中から特定の振動方向を持つレーザ光を特定の受光領域に入射させず、所望の記録層からの反射光により特定の受光領域上に形成されるスポットの外周領域に干渉縞を発生させない。
【００７７】
なお、本実施の形態１では、対物レンズ５の光ディスク１０１と対向する面の略中央にＰ波透過領域５ａを配置し、そのＰ波透過領域５ａを中心に略ドーナツ状にＳ波透過領域５ｂを配置したが、Ｐ波透過領域５ａとＳ波透過領域５ｂを入れ替えて、対物レンズ５の光ディスク１０１と対向する面の略中央にＳ波透過領域を配置し、そのＳ波透過領域を中心に略ドーナツ状にＰ波透過領域を配置することでも同様の効果を得ることができる。
【００７８】
また、本実施の形態１では、一例として、光ディスク１０１がその厚み方向に２つの記録層を持つものについて説明したが、これに限定されるものではなく、光ディスク１０１が３層以上の記録層を持つものについても適用可能である。
【００７９】
さらにまた、本実施の形態１では、遮光手段を対物レンズの表面に設けられた膜として説明したが、これに限定されるものではなく、例えば、対物レンズ５と光ディスク１０１の間に別部材として設けるものであっても良い。
【００８０】
図９は、本発明の実施の形態１における光ピックアップを用いた光ディスク装置を示す図である。図９において、２００は筐体、２００ａは上部筐体部、２００ｂは下部筐体部、２０１はトレイ、２０２はスピンドルモータ、２０３は光ピックアップ、２０４はベゼル、２０５は出没口、２０６はレール、２０７はレール、２０８はイジェクトスイッチ、２０９はキャリッジである。なお、本実施の形態１における回転駆動手段はスピンドルモータ２０２、移動手段はキャリッジ２０９である。
【００８１】
筐体２００は、上部筐体部２００ａと下部筐体部２００ｂを組み合わせて構成されている。なお、上部筐体部２００ａと下部筐体部２００ｂとは螺旋などを用いて、互いに固着されている。トレイ２０１は筐体２００に出没自在に設けられ、トレイ２０１の中央付近にスピンドルモータ２０２が設けられている。
【００８２】
光ピックアップ２０３は、光ディスク１０１に情報の記録または再生の少なくとも一方を行う。また、光ピックアップ２０３は、光ディスクの半径方向に移動可能に保持されたキャリッジ２０９に搭載され、キャリッジ２０９は光ピックアップ２０３をスピンドルモータ２０２に対して近づけたり遠ざけたりする。
【００８３】
ベゼル２０４はトレイ２０１の前端面に設けられ、トレイ２０１が筐体２００内に収納されたときに、トレイ２０１の出没口２０５を塞ぐように構成されている。
【００８４】
レール２０６、２０７は、それぞれトレイ２０１及び筐体２００の双方に摺動自在に取り付けられ、トレイ２０１の両側部にこのレール２０６，２０７は設けられており、このレール２０６，２０７にて矢印Ｐ方向に筐体２００からトレイ２０１が出没自在になるように取り付けられている。
【００８５】
トレイ２０１の前端面に設けられたベゼル２０４にはイジェクトスイッチ２０８が設けられており、このイジェクトスイッチ２０８を押すことで、筐体２００に設けられた係合部（図示せず）とトレイ２０１に設けられた係合部（図示せず）との係合を解除する。
【００８６】
図９に示す光ディスク装置に、本発明の光ピックアップ装置を搭載することにより、これにより、所望の記録層からの反射光に他の記録層からの反射光が迷光として加わった際、他の記録層からの反射光の中から特定の振動方向を持つレーザ光を特定の受光領域に入射させないので、所望の記録層からの反射光により特定の受光領域上に形成されるスポットの外周領域に干渉縞を発生させない。その結果、厚み方向に複数の記録層を持つ光ディスクに対してトラッキング調整を行う場合であっても、受光手段の受光面上に投影されるスポットの外周領域に干渉縞を発生させないので、トラッキング制御に用いる信号の精度を上げ、トラッキング制御の精度を高めることができる光ディスク装置を実現できる。
【産業上の利用可能性】
【００８７】
本発明は、厚み方向に複数の記録層を持つ光ディスクに対してトラッキング調整を行う場合であっても、受光手段の受光面上に投影されるスポットの外周領域に干渉縞を発生させず、トラッキング制御に用いる信号の精度を上げ、トラッキング制御の精度を高めることができるため、光ディスクに情報の記録または再生の少なくとも一方を行う光ピックアップ装置および光ディスク装置などに適応可能である。
【図面の簡単な説明】
【００８８】
【図１】本発明の実施の形態１における光ディスク装置のブロック図
【図２】本発明の実施の形態１における対物レンズの上面と側面を示す図
【図３】本発明の実施の形態１における対物レンズの上面と断面を示す図
【図４】本発明の実施の形態１における所望の記録層からの反射光と他の記録層からの反射光とが同時に分割素子に入射する様子を示す図
【図５】本発明の実施の形態１における所望の記録層からの反射光と他の記録層からの反射光とが同時に検出レンズに入射する様子を示す図
【図６】本発明の実施の形態１における所望の記録層からの反射光と他の記録層からの反射光とが同時に受光部に入射する様子を示す図
【図７】本発明の実施の形態１におけるＰ波とＳ波以外の組合せにより干渉が発生する様子を示す図
【図８】本発明の実施の形態１におけるＰ波とＳ波の組合せにより干渉が発生しない様子を示す図
【図９】本発明の実施の形態１における光ピックアップを用いた光ディスク装置を示す図
【図１０】所望の記録層からの反射光と他の記録層からの反射光とが同時に受光部に入射する様子を示す図
【符号の説明】
【００８９】
１    光源
２    回折格子
３    コリメータレンズ
４    分割素子
５    対物レンズ
５ａ    Ｐ波透過領域
５ｂ    Ｓ波透過領域
５ｄ    集光部
５ｅ    レンズコバ部
６    検出レンズ
７    ＯＥＩＣ
１１、１２、１３    受光領域
１４、１５、１６、１７、４１ａ、４１ｂ、４２ａ、４２ｂ、４３ａ、４３ｂ、４４ａ、４４ｂ、６１ａ、６１ｂ、６２ａ、６２ｂ、６３ａ、６３ｂ、６４ａ、６４ｂ    領域
７１，７２    Ｐ波透過領域
８１，８２    全波透過領域
９１    Ｐ波透過領域
９２    Ｓ波透過領域
１０１    光ディスク
１０１ａ、１０１ｂ    記録層
２００    筐体
２００ａ    上部筐体部
２００ｂ    下部筐体部
２０１    トレイ
２０２    スピンドルモータ
２０３    光ピックアップ
２０４    ベゼル
２０５    出没口
２０６、２０７    レール
２０８    イジェクトスイッチ
２０９    キャリッジ
【図１】
2010097631.tif 000003
【図２】
2010097631.tif 000004
【図３】
2010097631.tif 000005
【図４】
2010097631.tif 000006
【図５】
2010097631.tif 000007
【図６】
2010097631.tif 000008
【図７】
2010097631.tif 000009
【図８】
2010097631.tif 000010
【図９】
2010097631.tif 000011
【図１０】
2010097631.tif 000012